(57)【要約】【課題】本発明は、音響装置を構成する置き台の構造が大きくなると共に、音響装置全体が高価なものになってしまうといった課題があった。【解決手段】制御２２０部と、音響情報を記憶する記憶部２３０と、音響情報を再生する再生部２４０と、再生部２４０より出力された音響信号をステレオ音として外方へ放音する一対のスピーカ部２５０と、再生部２４０からの音響信号を出力する音響信号出力端子６１ａとを有する携帯端末装置２と、携帯端末装置２が載置される載置部３１と、携帯端末装置２の音響信号出力端子６１ａと接続される音響信号入力端子４１ａと、音響信号入力端子４１ａに入力した音響信号より低音域の音のみを増幅する増幅部３１０と、増幅部３１０から出力された音響信号を外方へ放音する一つのスピーカ部３２０を具備した置き台３とで音響装置１を構成する。【選択図】図７
2008085645.tif 000002
【特許請求の範囲】
【請求項１】
制御部と、音響情報を記憶する記憶部と、前記音響情報を再生する再生部と、該再生部より出力された音響信号をステレオ音として外方へ放音する一対のスピーカ部と、前記再生部からの音響信号を出力する音響信号出力端子とを有する携帯端末装置と、
該携帯端末装置が載置される載置部と、前記携帯端末装置の音響信号出力端子と接続される音響信号入力端子と、該音響信号入力端子に入力した音響信号より低音域の音のみを増幅する増幅部と、該増幅部から出力された音響信号を外方へ放音する一つのスピーカ部を具備した置き台とを含むことを特徴とする音響装置。
【請求項２】
前記携帯端末装置は、前記制御部からの指示に基づいて前記置き台の増幅部の駆動を制御する制御信号を出力する制御信号出力端子を備えると共に、前記置き台は、前記制御信号出力端子と接続されて前記制御信号を前記増幅部へ出力する制御信号入力端子を備えることを特徴とする請求項１に記載の音響装置。
【請求項３】
前記置き台の底壁部には、卓上に載置した際に隙間を形成する脚部を備えると共に、前記底壁部に前記一つのスピーカ部の放音孔を有することを特徴とする請求項１又は２に記載の音響装置。
【発明の詳細な説明】
【技術分野】
【０００１】
本発明は、携帯電話機、デジタルカメラ、ＰＤＡ（Personal Digital Assistants）、携帯型パーソナルコンピュータ等の携帯端末装置と、該携帯端末装置の置き台とを含む音響装置に関する。
【背景技術】
【０００２】
従来より、携帯端末装置である携帯電話機のバッテリーを充電する際には、携帯電話機を置き台に差し込むようにして充電している。ところで、近年、携帯電話機を用いた音楽配信サービスの発達等により、携帯電話機で音楽を再生する機会が増えている。そして、携帯時に携帯電話機で音楽をスピーカ再生することに加え、充電した状態でもスピーカ再生することが求められている。そこで、例えば、特許文献１には、携帯電話機の二次電池を充電するための充電機能を備えた携帯電話機の置き台であって、携帯電話機からの音声信号を増幅する増幅部と、該増幅部で増幅された音声信号をステレオ音として外方へ放音するための一対のスピーカーを備えたものが開示され、この置き台に携帯電話機を搭載することで音響装置を構成することが示されている。
【特許文献１】特開２００２−１０１１７７号公報
【発明の開示】
【発明が解決しようとする課題】
【０００３】
しかしながら、特許文献1の音響装置では、置き台に携帯電話機に搭載するスピーカよりも大きなスピーカ部を一組配置しなければならず、置き台の構造が大きくなると共に、音響装置全体が高価なものになってしまうといった課題があった。
【課題を解決するための手段】
【０００４】
そこで、上述した課題に鑑み、本発明は、制御部と、音響情報を記憶する記憶部と、前記音響情報を再生する再生部と、該再生部より出力された音響信号をステレオ音として外方へ放音する一対のスピーカ部と、前記再生部からの音響信号を出力する音響信号出力端子とを有する携帯端末装置と、該携帯端末装置が載置される載置部と、前記携帯端末装置の音響信号出力端子と接続される音響信号入力端子と、該音響信号入力端子に入力した音響信号より低音域の音のみを増幅する増幅部と、該増幅部から出力された音響信号を外方へ放音する一つのスピーカ部を具備した置き台とを含んで音響装置を構成したことを特徴とする。
【０００５】
好ましくは、前記携帯端末装置に、前記制御部からの指示に基づいて前記置き台の増幅部の駆動を制御する制御信号を出力する制御信号出力端子を設けると共に、前記置き台に、前記制御信号出力端子と接続されて前記制御信号を前記増幅部へ出力する制御信号入力端子を設けることが良く、さらには前記置き台の底壁部に、卓上に載置した際に隙間を形成する脚部を設けると共に、前記底壁部に前記一つのスピーカ部の放音孔を設けることが良い。
【発明の効果】
【０００６】
本発明によれば、携帯端末装置の音響情報を再生する際に、指向性を高い中高音域の音を携帯端末装置に備える一対のスピーカ部よりステレオ音として外方へ放音し、指向性の低い低音域の音を置き台のスピーカ部より外方へ放音するようにしたことから、置き台に配置するスピーカ部は一つで済み、ステレオ効果音を放音可能な音響装置を安価に提供することができる。
【発明を実施するための最良の形態】
【０００７】
以下、本発明の実施形態を、図面を参照して説明する。なお、以下、携帯端末装置として携帯電話機について説明するが、本発明はこれに限定されるものではなく、情報携帯端末（ＰＤＡ）、ノートパソコン、デジタルカメラ、小型オーディオプレーヤー等の他の携帯端末装置であってもよい。また、置き台として、ドーム型で上面に携帯端末装置を載置するクレードルについて説明するが、本発明はこれに限定されるものではなく、他の形状や、携帯端末装置を載置する態様が異なるクレードル等であってもよい。
【０００８】
図１は本発明の一実施形態における音響装置１の外観斜視図を示す。
【０００９】
図１に示すように、本実施形態における音響装置１は、携帯端末装置としての折り畳み型の携帯電話機２と、ドーム型の置き台としてのクレードル３とを備える。折り畳まれた状態の携帯電話機２は、クレードル３の上面に形成される載置部３１に挿入されるようにして載置される。
【００１０】
図２は携帯電話機２を開いた状態の外観斜視図を示す。図３は携帯電話機２を折り畳んだ状態の外観斜視図を示す。
【００１１】
図２に示すように、携帯電話機２は、平面形状が矩形状をした操作部側筐体２１と、平面形状が矩形状をした表示部側筐体２２と、を備える。操作部側筐体２１は、折り畳んだ状態で表示部側筐体２２と向かい合う面である内側面２１ａに配置される内側操作ボタン群２４と、携帯電話機２の使用者が通話時に発した音声が入カされる音声入力部２６と、リンガ音や音楽情報等をステレオ音として出力する一対のスピーカ（図７の２５０）と、を備える。
【００１２】
内側操作ボタン群２４は、各種設定や電話帳機能やメール機能等の各種機能を作動させるための機能設定操作ボタン２４ａと、電話番号の数字やメール等の文字等を入カするための入カ操作ボタン２４ｂと、各種操作における決定やスクロール等を行うと共に、再生する楽曲の選択や決定を行う決定操作ボタン２４ｃと、から構成される。
【００１３】
また、操作部側筐体２１の内側面２１ａとは反対側の面である外側面２１ｂ側に収容されるバッテリー（図７の２６０）と、前記外側面２１ｂに配置される不図示の携帯電話機側端子群とを備える。携帯電話機側端子群は音響信号を出力する音響信号出力端子と、後述するクレードル３の増幅部（図７の３１０）を制御する制御信号を出力する制御信号出力端子と、充電端子と、グランド端子と、から構成される。
【００１４】
表示部側筐体２２は、折り畳んだ状態で操作部側筐体２１と向かい合う面である内側面２２ａに配置される、各種情報を表示するための液晶ディスプレィや有機ＥＬディスプレィ等の内側表示部２７と、通話の相手側の音声を出カする音声出力部２９と、を備える。
【００１５】
また、操作部側筐体２１の上端部と表示部側筐体２２の下端部とは、ヒンジ機構２３を介して開閉可能に連結されている。携帯雷話機２は、ヒンジ機構２３を介して連結された操作部側筐体２１と表示部側筐体２２とを相対的に回転（回動）することにより、操作部側筐体２１と表示部側筐体２２とが互いに開いた状態（閉放状態）にしたり、操作部側筐体２１と表示部側筐体２２とを折り畳んだ状態（折畳み状態）にしたりできる。
【００１６】
図３は、携帯電話機２を折り畳んだ状態の外観斜視図を示す。図３に示すように、携帯電話機２は、折り畳んだ状態において外側に配置される外側操作ボタン群２５と、表示部側筐体２２の側面２２ｂの略中央に配置される、各種情報を表示するための液晶ディスプレィや有機ＥＬディスプレィ等の外側表示部２８と、を備える。外側操作ボタン群２５は、表示部側筐体２２の外側表示部２８を囲むように配置され、各種操作における決定やスクロール等を行うと共に再生する楽曲の選択や決定を行う決定操作ボタン２５ａと、各種設定や電話帳機能やメール機能等の各種機能を作動させるための機能設定操作ボタン２５ｂ及び２５ｃとを備える。
【００１７】
ここで、外側操作ボタン群２５と、外側表示部２８とは、図１に示すクレードル３に載置された状態おいても外側に露出される。なお、本実施形態において、いわゆる折り畳み型の携帯電話装置の形態を示しているが、本発明に係る携帯電話装置の形態としては特にこれに限られない。
【００１８】
図４は置き台としてのクレードル３の外観斜図を示す。図５は図４のクレードル３における断面を説明する図である。図６はクレードル３におけるクレードル側端子群が突出する機構を説明する図である。
【００１９】
図４に示すように、クレードル３は、携帯電話機２を載置する凹状の載置部３１と、載置部３１の底面３３から同じ高さに配置されるクレードル側端子群４１と、を備える。ここで、携帯電話機２は、図３における載置面２０が底面３３に当接するように栽置されると共に、操作部側筐体２１の外側面２２ｂがクレードル側端子群４１側に向くようして載置される。
【００２０】
図５に示すように、クレードル３は、内部に配置されるスピーカ（図７の３２０）と、底壁部５０に配置され、スピーカ３２０から出カされる音波を外方に放音する複数のスピーカ孔５１を備える。また、クレードル３は、内部に配置されクレードル側端子群４１を保持する保持部材３２を備える。なお、符号５５はクレードル３の底壁部５０に設けられた脚部であり、所定の間隔で４つ設けられており、卓上に載置した際に卓上と底壁部５０との間に隙間を形成するようになっている。
【００２１】
図６に示すように、保持部材３２は、表面の一端側に配置される突起部４０と、クレードル側端子群４１を保持する保持部４５及び４６と、保持部４５及び４６に形成されクレードル側端子群４１が裏面側から表面側に突出する開口部４５ａ及び４６ａと、側面に配置される回動軸４９と、を備える。図５に示すように、保持部材３２は、不図示の軸受け部に回動軸４９を軸支された状態で配置される。
【００２２】
クレードル側端子群４１は、音響信号入カ端子４１ａと、制御信号入力端子４１ｂと、給電端子４１ｃと、グランド受け端子４１ｄと、により構成される。音響信号入力端子４１ａと制御信号人力端子４１ｂとは、開口部４５ａから突出するように配置され、給電端子４１ｃと、グランド受け端子４１ｄとは開口部４６ａから突出するように配置される。そして、クレードル側端子群４１において、グランド受け端子４１ｄの先端が最も突出するように構成される。また、それぞれの端子は、針金状の部材を折り曲げで一方側に突出するように形成されると共に、それぞれの端子部分と連続する所定部が図５における固定軸５３の外周に巻かれるようにして配置される。これにより、それぞれの端子は、固定軸５３を固定点として弾性変形し、いわゆるバネ端子として機能する。
【００２３】
図６に示すように、クレードル側端子群４１は、突起部４０と回動軸４９を挟んだ他端側に配置される。そして、保持部材３２における突起部４０と、クレードル側端子群４１とは、クレードル３の内部から外部（載置部３１内）に突出可能に構成される。具体的には、図５に示すように、突起部４０は、凹状の載置部３１における底面３３に形成される突起用開口部４０から突出可能に配置され、クレードル側端子群４１は、載置部３１の側面に形成される端子用開口群４１０から突出可能に配置される。また、保持部材３２は、突起部４０が載置部３１の底面３３から突出する方向に不図示の付勢部材により付勢される。
【００２４】
ここで、携帯電話機２をクレードル３に載置する際における保持部材３２の動作を説明する。
【００２５】
まず、図３に示す折り畳んだ状態の携帯電話機２をクレードル３における凹状の載置部３１に挿入するように載置することで、携帯電話機２の裁置面２０が、載置部３１の底面３３に突出して配置される突起部４０をクレードル３の内部側に押し下げる。これにより図６に示すように、保持部材３２における突起部４０側が矢印Ｆ１方向に回動軸４９を中心に回動すると共に、突起部４０における反対側の端部が矢印Ｆ２方向に回動する。この回動動作により、クレードル側端子群４１は、載置部３１の側面から載置部３１内に突出して、携帯電話機側端子群にそれぞれ電気的に接続される。
【００２６】
図７は、携帯電話機２とクレードル３とから構成される音響装置１の電気的構成を説明するプロック図である。
【００２７】
図７に示すように、音響装置１は、クレードル３が携帯雷話機２に対して所定の充電を行うと共に、携帯電話機２からクレードル３に音響信号及ぴ制御信号が出カされるよう構成される。
【００２８】
具体的には、携帯電話機２は、電波を受信するアンテナ２０５と、受信した電波を増幅して音声データに復調する無線部２１０と、バッテリー２６０を備える。また、携帯電話機２は、表示部２７，２８と、操作ボ夕ン群２４，２５と、記憶部２３０と、所定の音楽データを音響信号に変換する再生部２４０と、これらを制御する制御２２０と、再生部２４０からの音響信号を音波として外方へ出力するスピーカ２５０と、を備える。
【００２９】
クレードル３は、低音域の音を増幅する増幅部３１０と、増幅部３１０で増幅された音響信号を音波として外方へ出力する一つのスピーカ３２０と、増幅部３１０に電力を供給すると共に携帯電話機２を充電するための一次電源と不図示のＡＣアダプタを介して接続される雷源端子３３０と、を備える。
【００３０】
そして、音響装置１を構成する携帯電話機２とクレードル３とは、携帯電話機側端子群６１とクレードル側端子群４１とが電気的に接続される。具体的には、携帯電話機２は、再生部２４０からの音響信号を出力する音響信号出力端子６１ａと、制御部２２０から増幅部３１０を制御する制御信号を出カする制御信号出カ端子６１ｂと、不図示のバッテリを充電するための充亀端子６１ｃと、グランド端子６１ｄと、を備える。
【００３１】
クレードル３は、増幅部３１０に音響信号を入力する音響信号入力端子４１ａと、増幅部３１０に制御信号を入カする制御信号入力端子４１ｂと、電源端子３３０から供給される電カを携帯電話機２に供給する給電端子４１ｃと、グランド受け端子４１ｄと、を備える。
【００３２】
そして、音響信号出力端子６１ａと音響信号入力端子４１ａとが電気的に接続され、制御信号出カ端子６１ｂと制御信号入カ端子４１ｂとが電気的に接統され、充電端子６１ｃと給電端子４１ｃとが電気的に接続され、グランド端子６１ｄとグランド受け端子４１ｄとが電気的に接続される。これにより、携帯電話機２から出カされる音響信号及ぴ制御信号がそれぞれ増幅部３１０に入カされ、クレードル３において、増幅部３１０は制御信号により制御されると共に、増幅された音響信号がスピーカ３２０から音波として外方へ出力される。
【００３３】
ここで、音響装置１の動作を図８のフローチャートに基づいて説明する。
【００３４】
まず、ステップＳ１により、図２に示す携帯雷話機２の内側操作ボクン群２４を操作して、内側表示部２７に表示される楽曲リストから所定の楽曲を選択・決定して、携帯電話機２において音楽を再生する指示を行うと、記億部２３０に記億される楽曲データが再生部２４０により音響信号に変換され、スピーカ２５０より放音される。
【００３５】
次いで、ステップＳ２により、図３のように携帯電話機２を折り畳んで、図１のようにクレードル３の載置部３１に載置する。ステップＳ３により、携帯電話機２の載置面２０が載置部３１の底面３３から突出する突起部４０を押し下げる。この突起部４０が押し下げられることで、クレードル側端子群４１が載置部３１内に突出する。
【００３６】
ステップＳ４により、最初にグランド受け端子４１ｄがグランド端子６１ｄに当接して電気的に接続される。続いて、ステップＳ５により、音響信号入カ端子４１ａが音響信号出カ端子６１ａに当接して電気的に接続される。同時に、制御信号入カ端子４１ｂが制御信号出力端子６１ｂに当接し電気的に接続される。また、同時に給電端子４１ｃが充電端子６１ｃに当接して電気的に接続される。
【００３７】
ステップＳ６により、制御部２２０の作用下で再生部２４０から全音域の音響信号が音響信号出カ端子６１ａを介して増幅部３１０に出力されると、増幅部３１０に備えるフィルタ機能により中高音域の音がカットされ、低音域の音のみ増幅されてスピーカ部３２０に出力される。
【００３８】
ステップＳ７により、指向性の高い中高音域の音響信号は携帯電話機２側のスピーカ２５０で放音され、指向性の低い低音域の音響信号はクレードル３側のスピーカ３２０で放音される。ここで、低音域と中高音域とは、例えば、１ｋＨｚを基準として分けることができる。また、ステップＳ８にて携帯雷話機２におけるバッテリ２６０への充電も開始される。
【００３９】
ステップＳ９により、図１に示す外側操作ボクン群２５により、再生中の楽曲と異なる楽曲を外側表示部２８を見ながら選択・決定し、楽曲を変更する。変更した楽曲についても低音域がクレードル３側のスピーカ３２０から放音され、中高音域が携帯雷話機２側のスピーカ２５０から放音される。
【００４０】
ステップＳ１０により、携帯電話機２をクレードル３から離間させると、ステップＳ１１により音響信号入カ端子４１ａが音響信号出カ端子６１ａから離間し、制御信号入力端子４１ｂが制御信号出カ端子６１ｂから離間し、給電端子４１ｃが充電端子６１ｃから離間する。そして、ステップＳ１２により、最後にグランド受け端子４１ｄがグランド端子６１ｄから離間する。
【００４１】
ステップＳ１３により、制御部２２０の作用下で再生部２４０は、全音域の音響信号を携帯電話機２側のスピーカ２５０に出カする。これにより、楽曲における全音域が携帯電話機２側のスピーカ２５０から放音される。
【００４２】
本実施形態によれば、携帯電話機２とクレードル３とを含み、携帯電話機２からクレードル３の増幅部３１０を制御する制御信号を、クレードル３側に出力する音響装置１を提供することができる。更には、グランド端子６１ｄとグランド受け端子４１ｄとの電気的接続が、制御信号出カ端子６１ｄと制御信号入カ端子４１ｄとの電気的接続よりも早くなされるよう構成される音響装置１を提供することができる。これにより、携帯電話機２をクレードル３に戴置する際におけるスピーカ３２０からのポップ音等のノイズ発生を抑制できると共に、各音域の制御回路をクレードル３に設ける必要もないため、クレードル３の構造を簡略して小型化できる。
【００４３】
また、携帯電話機２をクレードル３に載置した際、携帯電話機２側のスピーカ２５０から指向性の高い中高音域を放音し、クレードル３側のスピーカ３２０から指向性の低い低音域を放音することで、全音域をカバーできると共に、携帯電話機２に搭載されるような小型のスピーカ２５０では不十分であった低音域の音を十分に出力することができ、このような構造でもステレオ効果を持った音を出力可能な音響装置１を実現することができる。
【００４４】
しかも、クレードル３に配置するスピーカ部３２０は一つで済むため、クレードル３を小型化できると共に、音響装置１を安価に提供することができる。
【００４５】
また、クレードル３のスピーカ３２０から指向性の低い低音域を放音するように構成することで、クレードル３の底壁部５０を向くようにスピーカ３２０を配置できると共に、底壁部５０にスピーカ孔５１を設けることができる。これにより、クレードル３におけるデザイン性の自由度が向上すると共に、フラットな底壁部５０から放音することで全方位へ出力できる。しかも、クレードル３における防塵性、防滴性も向上する。
【００４６】
以上、本形態の好適な実施形態について説明したが、本発明は上述した実施形態に限定されることなく種々の形態で実施することができる。
【図面の簡単な説明】
【００４７】
【図１】本発明の一実施形態における音響装置の外観斜視図を示す。
【図２】携帯電話機を開いた状態の外観斜視図を示す。
【図３】携帯雷話機を折り畳んだ状態の外観斜視図を示す。
【図４】クレードルの外観斜図を示す。
【図５】図４のクレードルにおける断面を説明する図である。
【図６】クレードルにおけるクレードル側端子群が突出する機構を説明する図である。
【図７】音響装置の電気的構成を説明するプロック図である。
【図８】音響装置の動作を説明するフローチャートである。
【符号の説明】
【００４８】
１  音響装置
２  携帯電話機（携帯端末装置）
３  クレードル（置き台）
２０  載置面
２１  操作部側筐体
２２  表示部側筐体
３１  載置部
３２  保持部材
３３  底面
４１ａ  音響信号入カ端子
４１ｂ  制御信号入力端子
４１ｃ  給電端子
４１ｄ  グランド受け端子
５０  底壁部
５５  脚部
６１ａ  音響信号出カ端子
６１ｂ  制御信号出カ端子
６１ｃ  充電端子
６１ｄ  グランド端子
２２０  制御部
２５０  スピーカ
３１０  増幅部
３２０  スピーカ
３３０  電源端子
【図１】
2008085645.tif 000003
【図２】
2008085645.tif 000004
【図３】
2008085645.tif 000005
【図４】
2008085645.tif 000006
【図５】
2008085645.tif 000007
【図６】
2008085645.tif 000008
【図７】
2008085645.tif 000009
【図８】
2008085645.tif 000010